(57)【要約】【課題】ウッド形ゴルフクラブについて、球が捕まりにくく右に飛びやすいプレイヤーが正しいスイングの習得を妨げられることなく捕まった球を容易に打てるとともに、ある程度球が捕まえられるレベルまで継続して使用できるようにする。【解決手段】シャフト３の先端側を固定した有底筒状の接続体２５がソール２０底面の挿通溝２０ｂに挿通した固定ネジ３１でソール２０上面に固定されているとともに、接続体２５がソール２０上面で摺動する摺動底２５ａとその外周面を横向きに貫通したボルト孔２５ｃを有しており、そのボルト孔２５ｃに螺入し先端側を軸支されたスライド用ボルト３０を備えて、固定ネジ３０を緩めてスライド用ボルト３０を回すことで接続体２５が挿通溝２０ｂに沿ってスライドしながら、シャフト３の接続位置をヒール・トウ方向に移動可能とされ、所望の移動位置にて固定ネジ３１で接続体２５を固定することで重心距離が変更されるものとした。【選択図】図１
2017099943.tif 000002
【特許請求の範囲】
【請求項１】
シャフト先端側を挿入・固定した有底筒状の接続体が、クラウン上面に開口した挿入口を介しクラブヘッド内に挿入され、ソール底面で上下に貫通してヒール・トウ方向に延びた挿通溝に軸部を下から挿通した固定ネジでソール上面側に固定されてなるウッド形ゴルフクラブであって、前記接続体は、前記ソール上面に接して摺動する摺動底を有しているとともにその外周面の所定高さ位置を横向きに貫通したボルト孔を有しており、ヒール側からトウ方向に挿入されて前記接続体のボルト孔に螺入・貫通しながら先端側を軸支されたスライド用ボルトを備えて、前記固定ネジを緩めた状態でヒール側に露出した前記スライド用ボルトのボルト頭を回すことにより、前記接続体が前記ソール上面側で前記挿通溝に沿ってスライドしながら前記クラブヘッドにおけるシャフトの接続位置を所定の範囲内でヒール・トウ方向に移動可能なものとされており、所望の移動位置にて前記固定ネジで前記接続体を固定することで重心距離の変更が行われる、ことを特徴とするウッド形ゴルフクラブ。
【請求項２】
前記挿通溝は、これに挿通する前記固定ネジの軸部の直径よりも大きな溝幅を有して、前記固定ネジを外側から螺入した状態の前記接続体が前記スライド用ボルトの中心軸線を中心として所定角度の範囲で底面側を揺動可能とされており、その揺動角度に応じて前記固定ネジを前記挿通溝の溝幅方向中央位置からフェイス方向又はバックフェイス方向に変位させた状態で固定することで、ロフトの調整が実施可能なものとされている、ことを特徴とする請求項１に記載したウッド形ゴルフクラブ。
【請求項３】
前記接続体の摺動底は、前記スライド用ボルトの中心軸線に直角な面による断面形状が、前記中心軸線を中心に前記接続体を揺動させた場合の底面の円弧軌道に一致する曲率の円弧による船底状とされ、前記ソール上面の前記摺動底が接する部分も前記摺動底の底面と同等の曲率の円弧による樋状とされており、前記接続体を揺動させても前記摺動底が前記ソール上面に密着した状態を維持する、ことを特徴とする請求項２に記載したウッド形ゴルフクラブ。
【請求項４】
前記スライド用ボルト及び前記ソール上面の前記摺動底が摺動する部分は、ヒール側からトウ側に向かって下向きに傾いており、前記接続体をトウ側に移動させるに従って前記シャフト先端側が前記クラブヘッド内部に深く挿入されてクラブ長が短縮される、ことを特徴とする請求項１，２又は３に記載したウッド形ゴルフクラブ。
【請求項５】
前記クラウン上面に開口した前記挿入口は、ヒール・トウ方向に長い長円形とされており、先端側を前記クラブヘッド内部に挿入したシャフトが、前記接続体のスライド動作の際に前記挿入口の内周側でヒール・トウ方向に所定範囲で移動可能とされている、ことを特徴とする請求項１，２，３又は４に記載したウッド形ゴルフクラブ。
【発明の詳細な説明】
【技術分野】
【０００１】
本発明は、ウッド形ゴルフクラブに関し、殊に、通常のクラブでは球が捕まらずに右に飛びやすいゴルファーでも、容易に捕まった球が打てるようになるウッド形ゴルフクラブに関する。
【背景技術】
【０００２】
近年、日本においてはゴルフ場やゴルフ練習場の集客、ゴルフ用具の製造・販売など、ゴルフ業界における集客数や売り上げの低下が問題となっている。これはゴルフ人口の減少が主な要因であるが、現在のゴルフプレイヤーのうち中心的な位置を占める団塊の世代がゴルフを辞めることが予想される数年後には、ゴルフ人口の減少が一層顕著になると言われている。
【０００３】
このようなゴルフ人口減少の要因として、ゴルフを新しく始める人が少なくなったことと一度ゴルフを始めても短期間で辞めてしまうケースが多いことが指摘されている。これには、ゴルフというスポーツが、それを始めるときの費用と手間が他のスポーツよりも大きいために入門時の敷居が高く感じられることが関係していると考えられる。即ち、ゴルフを始めてからコースデビューするまでには、比較的高価なゴルフクラブセットを購入することに加え、ゴルフ練習場等で予め相当の練習を重ねることが必要とされるからである。
【０００４】
また、ゴルフに使用するゴルフクラブは、野球のバットとは異なりシャフトの中心軸線上から離れた位置に打点があるため、初心者が使用すると球と打点を合わせにくいという特性があるとともに、フェイスが返らずに右に飛びやすいという構造的な特徴を有している。殊に、近年のドライバーは、飛距離性能を追求して長尺化とヘッドの大型化が進んだ結果、初心者にとっては一層捕まりにくく難しいものとなっている。そのため、コースではパターの次に使用頻度の高いドライバーでミスを連発してしまうのが通常であり、毎回つらい経験ばかりで楽しい経験を得られないことが、ゴルフを辞める大きな一因となっている。
【０００５】
このような問題に対し、シャフトが長いことで球が捕まりにくいドライバー等のウッド形ゴルフクラブだけ、ヘッドをフックフェイスにしたりライ角をアップライトにしたりして球の捕まりを良くした初心者・初級者用クラブも数多く提供されている。ところが、この場合は、球が捕まらない打ち方をしないと真っ直ぐに飛ばないことから、いつまでたっても正しい打ち方を習得できないという悪循環に陥りやすい。そのため、ある程度球が捕まるようになったら使用するクラブを買い換える必要が生じることから、そのための費用負担も大きいと言わざるを得ない。
【０００６】
一方、特開２００９−２６８８３５号公報にも記載されているように、重心距離を短くしてヘッドが返りやすくしたウッド形ゴルフクラブも提案されている。これは、ウエイトの配置位置を工夫する等して重心距離を短くしたものであるが、ウエイトで調整できる量には限界があることに加え、ウエイトの配置で重心距離を短くするとフェイス上の打点位置（スイートスポット）が極端にヒール寄りになってしまい、スイートエリアの狭い偏ったゴルフクラブになりやすい。
【０００７】
そこで、本願出願人は、先に特開２０１６−１３５２３９号公報において、差込孔にシャフトを着脱自在に装着可能なゴルフクラブヘッドにおいて、その差込孔をヘッド上面側のヒール寄り位置に開口した第１の差込孔に加え、その第１の差込孔からトウ方向に所定距離だけ離れた位置に第２の差込孔を設けて、その第２の差込孔にシャフトを装着することで第１の差込孔にシャフトを装着した状態よりも重心距離が短くなるものを提案した。
【０００８】
このゴルフクラブヘッドを用いれば、第２の差込孔にシャフトを差替えて装着するだけでヘッドが返りやすくなり、初心者のゴルファーでも正しいスイングの習得を妨げることなく容易に球を捕まえやすくなり、ある程度球が捕まりやすいスイングを身につけてからは、第１の差込孔にシャフトを差替えて装着すれば、重心距離が通常のゴルフクラブヘッドに近いものとなるため、中級程度のレベルまでは継続して使用することができる。しかしながら、このゴルフクラブヘッドは、２つの差込孔を設けることがヘッドの重量増加と製造コストの高騰に繋がることに加え、第２の差込孔と第１の差込孔の間の設定が不可能であることから、ゴルフスイングの習得レベルに応じた重心距離の細かな調整が出来ないという難点があった。
【先行技術文献】
【特許文献】
【０００９】
【特許文献１】特開２００９−２６８８３５号公報
【特許文献１】特開２０１６−１３５２３９号公報
【発明の概要】
【発明が解決しようとする課題】
【００１０】
本発明は、上記のような問題を解決しようとするものであり、ウッド形ゴルフクラブについて、球が捕まりにくく右に飛びやすいプレイヤーが、正しいスイングの習得を妨げられることなく捕まった球を容易に打てることに加え、少なくともある程度球が捕まえられるレベルになるまで継続して使用可能なものとすることを課題とする。
【課題を解決するための手段】
【００１１】
そこで、本発明は、シャフト先端側を挿入・固定した有底筒状の接続体が、クラウン上面に開口した挿入口を介しクラブヘッド内に挿入され、ソール底面で上下に貫通してヒール・トウ方向に延びた挿通溝に軸部を下から挿通した固定ネジでソール上面側に固定されてなるウッド形ゴルフクラブであって、前記接続体はソール上面に接して摺動する摺動底を有しているとともにその外周面の所定高さ位置を横向きに貫通したボルト孔を有しており、ヒール側からトウ方向に挿入されて前記接続体のボルト孔に螺入・貫通しながら先端側を軸支されたスライド用ボルトを備えて、前記固定ネジを緩めた状態でヒール側に露出した前記スライド用ボルトのボルト頭を回すことにより、前記接続体がソール上面側で前記挿通溝に沿ってスライドしながらクラブヘッドにおけるシャフトの接続位置を所定の範囲内でヒール・トウ方向に移動可能なものとされており、所望の移動位置にて前記固定ネジで接続体を固定することで重心距離の変更が行われる、ことを特徴とするものとした。
【００１２】
このように、ヒール側から挿入したスライド用ボルトを回すだけで、シャフト先端側の接続体をソール上面側でヒール・トウ方向にスライドさせながら、クラブヘッドにおけるシャフトの接続位置をヒール・トウ方向の所望の位置にて固定できるようにしたことで、過剰な重量の増加やコストアップを伴うことなく重心距離の調整が容易に実施可能なものとなるため、球が捕まりにくく右に飛びやすいゴルファーが正しいスイングの習得を妨げられることなく捕まった球を容易に打てるようになり、且つ、少なくともある程度球を捕まえられる中級程度のレベルまで継続して使用可能なものとなる。
【００１３】
また、このウッド形ゴルフクラブにおいて、その挿通溝は、これに挿通する固定ネジの軸部の直径よりも大きな溝幅を有して、固定ネジを外側から螺入した状態の接続体がスライド用ボルトの中心軸線を中心として所定角度の範囲で底面側を揺動可能とされており、その揺動角度に応じて固定ネジを挿通溝の溝幅方向中央位置からフェイス方向又はバックフェイス方向に変位させた状態で固定することでロフトの調整が実施可能なものとされている、ことを特徴としたものとすれば、フェイスの水平方向の向きを変えることなくロフト調整が容易に行えるものとなる。
【００１４】
さらに、この場合、その接続体の摺動底は、前記スライド用ボルトの中心軸線に直角な面による断面形状が、前記中心軸線を中心に接続体を揺動させた場合の底面の円弧軌道に一致する曲率の円弧による船底状とされ、ソール上面の摺動底が接する部分も摺動底の底面と同等の曲率の円弧による樋状とされており、接続体を揺動させても摺動底がソール上面に密着した状態を維持する、ことを特徴としたものとすれば、ロフト調整を行っても接続体における堅固な固定状態を確保可能なものとなる。
【００１５】
さらにまた、上述したウッド形ゴルフクラブにおいて、そのスライド用ボルト及びソール上面の摺動底が摺動する部分は、ヒール側からトウ側に向かって下向きに傾いており、接続体をトウ側に移動させるに従ってシャフト先端側がクラブヘッド内部に深く挿入されてクラブ長が短縮される、ことを特徴としたものとすれば、シャフトを交換することなくスライド用ボルトの操作だけでクラブ長の変更が容易に行えるものとなり、重心距離を短くするのに伴ってクラブ長が短くなる結果、一層捕まった球を打ちやすいものとなる。
【００１６】
加えて、上述したウッド形ゴルフクラブにおいて、そのクラウン上面に開口した挿入口は、ヒール・トウ方向に長い長円形とされており、先端側をクラブヘッド内部に挿入したシャフトが、前記接続体のスライド動作の際に前記挿入口の内周側でヒール・トウ方向に所定範囲で移動可能とされている、ことを特徴としたものとすれば、クラウンにおける最小限の開口面積で上述した接続体のスライド動作が可能なものとなる。
【発明の効果】
【００１７】
スライド用ボルトを回すだけでシャフト先端側の接続体がソール上面側をスライドするとともにヒール・トウ方向における所望位置にてシャフトの接続位置を固定可能とした本発明によると、球が捕まりにくく右に飛びやすいゴルファーが正しいスイングの習得を妨げられることなく捕まった球を容易に打てるようになり、且つ、少なくともある程度球が捕まえられるレベルになるまで継続して使用可能なものとなる。
【図面の簡単な説明】
【００１８】
【図１】本発明における実施の形態であるウッド形ゴルフクラブの縦断面図である。
【図２】図１のウッド形ゴルフクラブの底面図である。
【図３】図１のウッド形ゴルフクラブのロフト変更機能を説明するためのヒール側から見た接続体の固定状態を示す縦断面部分図であって、（Ａ）は接続体が垂直な標準ロフト位置の状態、（Ｂ）は接続体が前方に傾いた最大ロフト位置の状態、（Ｃ）は接続体が後方に傾いた最小ロフト位置の状態である。
【図４】図２のウッド形ゴルフクラブの平面図である。
【発明を実施するための形態】
【００１９】
以下に、図面を参照しながら本発明を実施するための形態を説明する。尚、本発明において、ゴルフクラブヘッドの重心距離とは、その内部にあるヘッド重心点からシャフト中心軸線までの最短距離を指すものとする。
【００２０】
図１は、本発明の実施の形態であるウッド形ゴルフクラブ１Ａのヘッド側におけるヒール・トウ方向の縦断面図を示している。本実施の形態では、ウッド形ゴルフクラブ１Ａが入門者から中級者程度のレベルのゴルファーが使用することを想定したドライバーの場合を説明する。
【００２１】
このウッド形ゴルフクラブ１Ａでは、シャフトの先端側を挿入してクラブヘッドに固定するホーゼル部の代わりに、クラブヘッド２Ａ本体とは別部品からなる有底筒状の金属部品からなる接続体２５が、クラブヘッド２Ａとシャフト３の接続手段とされており、シャフト３の先端側を挿入・固定した接続体２５は、クラウン２１上面に開口した挿入口２１ａを介してクラブヘッド２Ａ内のソール２０上面側まで挿入されている。
【００２２】
その接続体２５は、ソール２０上面に接して摺動する摺動底２５ａを有しているとともに、破線で示すネジ孔２５ｂがその摺動底２５ａに開口しており、ソール２０でヒール・トウ方向に延びて上下に貫通した挿通溝２０ｂに軸部を下から挿通した固定ネジ３１が、そのネジ孔２５ｂに螺入・締結されたことで摺動底２５ａ側がソール２０上面に固定されている。
【００２３】
また、接続体２５には、その外周面の所定高さ位置をヒール・トウ方向（略横向き）に貫通してなり内周面にネジ山を有したボルト孔２５ｃが設けられており、クラブヘッド２Ａのソール側からトウ方向に挿入されて先端側を支持板２０ｃで軸支されたスライド用ボルト３０によりそのボルト孔２５ｃを螺入・貫通されており、前述した固定ネジ３１と合わせて２つの固定手段でクラブヘッド２Ａ側に固定されたものとなっている。
【００２４】
そして、本発明のウッド形ゴルフクラブ１Ａにおいては、ソール２０底面側に露出した固定ネジ３１のネジ頭を回して緩めた状態で、ヒール側に露出したスライド用ボルト３０のボルト頭を回して操作することにより、接続体２５がソール２０上面側で挿通溝２０ｂに沿ってスライドしながらクラブヘッド２Ａにおけるシャフト３の接続位置を所定範囲内でヒール・トウ方向に移動可能とされており、所望の移動位置にて固定ネジ３１で接続体２５をソール２０に締結・固定することで、クラブヘッド２Ａにおける重心距離の変更が可能なものとされており、この点が本発明における最大の特徴部分となっている。
【００２５】
即ち、図１において正面側から見たクラブヘッド２Ａの重心点をＧとすると、本実施の形態では、接続体２５が１８ｍｍ程度の範囲内でヒール・トウ方向にスライド動作しながら所望位置でソール２０上面に固定可能とされており、以下の表１に示すように、シャフト３の中心線と重心点Ｇまでの最短距離（重心距離）が、１２ｍｍから２８ｍｍの間で変更可能であり（接続体２５の移動で重心点も僅かにずれる為、スライド量と重心距離の変更量は一致しない）、最も球を捕まえにくい入門レベルＣでは最も重心距離の短い位置とし、ある程度慣れた段階の初級レベルＢの位置を経て、ある程度球を捕まえられる中級レベルのアベレージＡの位置まで変更しながら、正しいスイングの習得を妨げることなくスムースな上達を実現可能としたものである。
【００２６】
【表１】
2017099943.tif 000003
【００２７】
また、本実施の形態のウッド形ゴルフクラブ１Ａは、図２の底面図に示すように、その挿通溝２０ｂが、これに挿通する固定ネジ３１の軸部の直径（約２ｍｍ）よりも大きな溝幅（約４ｍｍ）を有しており、固定ネジ３１を螺入した状態の接続体２５がスライド用ボルト３０の中心軸線を中心として所定角度の範囲で底面側を揺動可能とされており、その揺動により固定ネジ３１を挿通溝２０ｂの溝幅方向中央位置からフェイス方向又はバックフェイス方向に変位させながら固定することで、ロフトの調整が行われるようになっている。
【００２８】
即ち、固定ネジ３１の中心軸線を、図３（Ａ）に示す挿通溝２０ｂの溝幅方向中央の標準位置から、図（Ｂ）のようにスライド用ボルト３０の中心軸線を中心として接続体２５の摺動底２５ａ側をバックフェイス側（後方）に揺動させて固定ネジ３１で固定すれば、シャフトを垂直に構えた状態ではシャフト３の中心線に対してロフトが寝る（増える）ことになり、図（Ｃ）のようにフェイス側（前方）に揺動させて固定することでロフトが立つ（減る）ことになるため、フェイスの水平方向の向きを変えることなく、ロフトの調整を容易に行うことができる。
【００２９】
尚、本実施の形態では、図３に示したように±２度の幅でロフト変更を可能とするために挿通溝２０ｂの溝幅を大きくしたことに関連し、固定ネジ３１の堅固な固定状態を実現させることを目的として、ネジ頭とソール２０底面との間に固定ネジ３１の軸部を挿通させる小孔を有した金属製の押え板２６を介装している。その押え板２６には、図２に示したようにその横幅方向に目盛り２６１が表示されており、挿通孔２０ｂの溝縁との位置関係によりロフトの状態が分かるようになっている。
【００３０】
また、図３に示したように、接続体２５の摺動底２５ａは、スライド用ボルト３０の中心軸線に直角な面による断面形状が、スライド用ボルト３０の中心軸線を中心に揺動させた場合の底面の円弧軌道に一致する曲率の円弧による船底状とされており、ソール２０上面の摺動底２５ａが接する部分も摺動底２５ａの曲率に一致する曲率の円弧による樋状とされている。そのため、接続体２５を揺動させてもその摺動底２５ａがソール２０上面に密着した状態を維持することから、ロフト調整を行っても接続体２５の堅固な固定状態を確保しやすいものとなっている。
【００３１】
加えて、本実施の形態のウッド形ゴルフクラブ１Ａは、そのスライド用ボルト３０及びソール２０上面で摺動底２５ａが摺動する部分である摺動部２０ａが、図１に示した正面視において互いに平行な状態でヒール側からトウ側に向かって所定角度で下向きに傾いており、接続体２５をトウ側に移動させるに従って、クラブ長が短縮されるようになっている。
【００３２】
即ち、接続体２５がクラブヘッド２Ａ内でヒール側からトウ側に摺動するに従って、その下向きの傾斜によりシャフト３が深く挿入されるようになっており、本実施の形態では、表１に示したようにアベレージＡから初級レベルＢ、入門レベルＣの位置に順次移行することで、クラブ長が４５インチから４４．７５インチ、４４．５インチと短くなるとともに、そのバランスもＤ０からＣ８．５、Ｃ７と軽くなる。そのため、スライド用ボルト３０を操作するだけでシャフト３を交換することなくクラブ長の変更を容易に行うことができ、重心距離が短くなるのに伴ってクラブ長も短くなって一層捕まった球を打ちやすい状態となる。
【００３３】
一方、本発明においては、シャフト３の先端側にそれよりも大径の金属部品である接続体２５が固定されており、これをクラブヘッド２Ａ内でスライド用ボルト３０を螺入・挿通した状態で接続しながら組み立てる必要があるところ、通常のクラブヘッドではソール、フェイス、クラウンを溶接して一体的に組み立てる関係で、先端側に接続体２５を有したシャフト３をヘッド２Ａに挿入してソール２０側に接続する作業が困難となりやすい。
【００３４】
そこで、本実施の形態のウッド形ゴルフクラブ１Ａでは、図４の平面図に示すように、クラウン２１をクラブヘッド２Ａ本体とは別部品にして、ネジ３５，３５でクラブヘッド２Ａ本体に着脱自在なものとしており、クラウン２１を装着する前の段階で、シャフト３先端側の接続体２５をクラブヘッド２Ａに挿入し、スライド用ボルト３０をヒール側から挿入して接続体２５のボルト孔２５ｃに螺入・貫通させ、その先端側を固定板２０ｃの挿通孔を挿通して抜け止め３００で脱抜不能な状態に保持させてから、シャフト３の挿入孔２１ａとなる切り欠き部でシャフト３を挿通させて、クラウン２１を固定する方式を採用している。
【００３５】
このクラウン２１の素材としては、軽くて強度の高いＣＦＲＰのほか、薄くても高強度を発揮して加工が容易なポリカーボネート等の樹脂素材が適当であるが、それが着脱自在であるとともに着色が容易である特性を利用して、その表面に様々な色彩や模様を表示したものを複数種類用意しておくことにより、クラブヘッド２Ａにおけるクラウン２１を自分好みの色彩・模様のものに容易に交換しながら、多様なアレンジが楽しめるものとなる。
【００３６】
また、図４に示したように、クラウン２１上面に開口した挿入口２１ａは、ヒール・トウ方向に長い長円形とされており、先端側をクラブヘッド２Ａ内部に挿入したシャフト３が、接続体２５のスライド動作の際に挿入口２１ａの内周側でヒール・トウ方向に移動可能とされており、クラウン２１における最小限の開口面積で接続体２５のスライド動作を可能なものとしている。
【００３７】
さらに、その挿入口２１ａからクラブヘッド２Ａの内部に水や砂等のゴミが侵入するのを防止するため、挿入口２１ａによる開口部を内側から塞ぐ蓋体２１０が、その中央部をシャフト３貫通した状態にて、クラウン２１裏面側への密着状態を維持するフランジ２１ｂで下から支持されながらヒール・トウ方向にスライド可能な状態で配設されている。この蓋体２１０の素材としては、そのスライド位置に応じた変形能を確保する観点で軟質樹脂が好ましく、図のようにシャフト３を挿通する部分にスリーブ２１０ａを設けて、シャフト３の外周面を保護するようにしたものが好ましい。
【００３８】
以上、述べたように、ウッド形ゴルフクラブについて、本発明により、球が捕まりにくく右に飛びやすいプレイヤーが正しいスイングの習得を妨げられることなく捕まった球を容易に打てることに加え、少なくともある程度球を捕まえられる中級程度のレベルになるまで継続して使用可能なものとなった。
【符号の説明】
【００３９】
１Ａ  ウッド形ゴルフクラブ、２Ａ  クラブヘッド、３  シャフト、２０  ソール、２０ａ  摺動部、２０ｂ  挿通溝、２１  クラウン、２１ａ  挿入口、２５  接続体、２５ａ  摺動底、２５ｂ  ネジ孔、２５ｃ  ボルト孔、３０  スライド用ボルト、３１  固定ネジ、
【図１】
2017099943.tif 000004
【図２】
2017099943.tif 000005
【図３】
2017099943.tif 000006
【図４】
2017099943.tif 000007